(57)【要約】【課題】常に回転軸の径方向の位置を安定させ、磁気変化や振動、衝撃などの外乱の影響を排除する。【解決手段】光量調節部材へ駆動力を伝達する回転体２，３と、該回転体の回転軸を受ける軸受部材１，４とを有する駆動手段を具備した光量調節装置において、前記回転体の回転軸の少なくとも一方の軸端部２ａを、球形状もしくは円錐状の穴形状とし、前記軸端部２ａと当接する前記軸受部材１，４の当接面形状を、球形状の軸端部に対しては円錐状の穴形状とし、円錐状の穴形状の軸端部に対しては球形状にしている。【選択図】　　　　図１
2004138939.tif 000002
【特許請求の範囲】
【請求項１】
光量調節部材へ駆動力を伝達する回転体と、該回転体の回転軸を受ける軸受部材とを有する駆動手段を具備した光量調節装置において、前記回転体の回転軸の少なくとも一方の軸端部を、球形状もしくは円錐状の穴形状とし、前記軸端部と当接する前記軸受部材の当接面形状を、球形状の軸端部に対しては円錐状の穴形状とし、円錐状の穴形状の軸端部に対しては球形状にしたことを特徴とする光量調節装置。
【発明の詳細な説明】
【０００１】
【発明の属する技術分野】
本発明は、ビデオカメラ、銀塩フィルム用スチルカメラ、デジタルスチルカメラに搭載される光量調節装置の改良に関するものである。
【０００２】
【従来の技術】
図６（ａ），（ｂ）は、特許文献１，２に開示された従来の光量調節装置の駆動手段の一例を示す断面図であり、以下、構成について説明する。なお、後述する図２は本発明の実施の第１の形態に係る図であるが、図６と図２の構成要素の違いは、該図６の第１のボビン１’が図２においては第１のボビン１に変更になる点のみであるので、説明の明瞭化のため、該当する構成要素については該図２を用いて説明する。
【０００３】
図６において、１’はコイルを支持するボビンの一部を成す第１のボビンであり、コの字形状の第１の軸受部１ａ’を有している。２は図２にて後述する光量調節部材９，１０を作動させるピン２ｉ，２ｈを有する駆動伝達レバーであり、軸と一体に構成されており、その軸の半球面（球面であっても良い）形状をした先端軸部２ａが前記第１の軸受部１ａ’に挿入され、その軸の後端軸部２ｂが後述するボビンの一部を成す第２のボビン４に形成された第２の軸受部４ａに挿入される。また、前記駆動伝達レバー２には前記先端軸部２ａ及び前記後端軸部２ｂの径よりも大きな径を有する軸部２ｃを有しており、該軸部２ｃにローターマグネット３が固定される。
【０００４】
４は上記のようにボビンの一部を成す第２のボビンであり、該第２のボビン４と前記第１のボビン１’にコイルが線回されることでボビンとして機能し、このように一体化された複合体に後述のヨーク５が具備されることで駆動手段を構成する。この第２のボビン４には、前記駆動伝達レバー２の後端軸部２ｂが挿入される貫通穴である第２の軸受部４ａを有している。５は磁気シールドを兼ねるヨーク（その形状は図２参照）である。
【０００５】
図６（ａ）は第１のボビン１’側の軸受構造の拡大図であり、図示のように、第１の軸受部１ａ’の底面は平面である。この底面に、先端形状が半球面を成す駆動伝達レバー２の軸の先端軸部２ａが後述のように付勢されて点接触して、軸長方向であるスラスト方向を規制している。また、第１の軸受部１ａ’の入口から底面までの深さを構成する側面で軸の径方向であるラジアル方向を規制する。反対側の、第２のボビン４の第２の軸受部４ａに、前述したように前記駆動伝達レバー２の軸の後端軸部２ｂが挿入される。そして、前記駆動伝達レバー２の軸部２ｃにローターマグネット３が固定され、前記先端軸部２ａが前記半球面状の第１の軸受部１ａ’の底面に当たるように図６（ｂ）中、ｒの方向に磁気的に付勢（詳細は後述する）されるので、この反対側のスラスト方向は浮上した状態となる。
【０００６】
上記構成において、第１のボビン１’と第２のボビン４に巻回されたコイルに通電すると、コイルとローターマグネット３の間に力が発生し、該ローターマグネット３が回転運動をする。すると、前記先端軸部２ａと前記第１の軸受部１ａ’の点接触する部分を第１の支点とし、前記後端軸部２ｂと第２の軸受部４ａを第２の支点として、前記ローターマグネット３に固定された駆動伝達レバー２も回転する。よって、駆動伝達レバー２の回転力が前記ピン２ｉ，２ｈを介して図２の光量調節部材９，１０に伝わり、光量調節が行われる。
【０００７】
図６（ｂ）に示すｒ方向に付勢力を与えて、第１の軸受部１ａ’と駆動伝達レバー２の軸の先端軸部２ａとが点接触するように、ローターマグネット３とヨーク５の位置を工夫した構成にしている。つまり、ローターマグネット３に対し、ヨーク５をｒ方向に少しずらして位置させ（ガタ寄せのため）、ローターマグネット３を磁気的吸引力でｒ方向に常に付勢する構成にしている。よって、接触面積を少なくでき、作動負荷を低減させることができる。
【０００８】
図７は、特許文献３に開示された従来の光量調節装置の駆動手段の他の例を示す断面図である。
【０００９】
同図において、２１はコイルの支持部材であるボビン、２２は回転軸、２３は前記回転軸２２に固定されたローターマグネット、２４は第１の軸受部２４ａを有する軸受部材である。２５は、第２の軸受部２５ａを持つ、光量調節装置全体の支持部材である。
【００１０】
前記回転軸２２には径の大きさが異なる部分があり、その段差を軸当り部２２ａ，２２ｂとしており、該回転軸２２が前記ローターマグネット３の回転に伴って回転する際、その軸当り部２２ａと前記第１の軸受部２４ａとが接触し、軸当り部２２ｂと前記第２の軸受部２５ｂとが接触する。この軸受構造は、図６の構成とは異なり、面受けとなっており、この例においても、スラスト方向は片側に付勢されており、その片寄せ方法は図６の場合と同様である。
【００１１】
上記構成において、ボビン２１に巻かれたコイルに通電すると、コイルとローターマグネット２３の間で力が発生し、該ローターマグネット２３が回転運動をし、該ローターマグネット２３に固定された回転軸２２も回転する。この回転軸２２の軸当り部２２ｂ側の先端には、不図示の駆動伝達レバーが圧入や接着などにより固定されており、よって、前記回転軸２２の回転に伴って駆動伝達レバーが回転することにより、図６と同様に光量調節部材を作動させることができる。
【００１２】
【特許文献１】
特開平１０−３３３２０６号公報（第３頁、図４）
【特許文献２】
特開２００１−１４３２３号公報（第３頁、図４）
【特許文献３】
特開平０７−２８１２５２号公報（第２−３頁、図３）
【００１３】
【発明が解決しようとする課題】
上記図６及び図７に示した従来の構成においては、光量調節装置の小型化、軽量化により、ローターマグネットの重量が軽くなり、また、製品全体の負荷も低下している。このため、ローターマグネットは磁気的な影響により、静止状態では径方向の一方向に寄せられているが、該ローターマグネットが回転すると、この回転に伴ってローターマグネットの磁力の最大点が変化して、該ローターマグネットの径方向に加わる力の方向が変化し、軸のガタ寄せ方向が変化する。また、振動、衝撃などの外乱により同じように軸受け内で径方向の位置変化が生じる。すなわち、回転軸が軸受け内の径方向の位置が変化するため、ローターマグネットがスムーズに回転しないことがある。このことにより、その動きに追従して光量調節部材も変化して光量調節が適正に行われないといった問題点があった。
【００１４】
特にホール素子（図６（ｂ）の１８）の出力で光量調節装置の駆動手段の回転位置を制御している場合は、該ホール素子とローターマグネットの距離が変化してしまうため、回転方向に変化したと見なされ、必要以上に光量調節部材を移動させてしまうことがあった。
【００１５】
したがって、この種の光量調節装置を例えばデジタルカメラに搭載した場合、光学系の小型化により、駆動手段の微細な変動による、光量調節部材の変動が画像に影響するようになってきている。
【００１６】
（発明の目的）
本発明の目的は、常に回転軸の径方向の位置を安定させ、磁気変化や振動、衝撃などの外乱の影響を排除することのできる光量調節装置を提供しようとするものである。
【００１７】
【課題を解決するための手段】
上記目的を達成するため、本発明は、光量調節部材へ駆動力を伝達する回転体と、該回転体の回転軸を受ける軸受部材とを有する駆動手段を具備した光量調節装置において、前記回転体の回転軸の少なくとも一方の軸端部を、球形状もしくは円錐状の穴形状とし、前記軸端部と当接する前記軸受部材の当接面形状を、球形状の軸端部に対しては円錐状の穴形状とし、円錐状の穴形状の軸端部に対しては球形状にした光量調節装置とするものである。
【００１８】
【発明の実施の形態】
以下、本発明を図示の実施の形態に基づいて詳細に説明する。
【００１９】
（実施の第１の形態）
図１乃至図３は本発明の実施の第１の形態に係る光量調節装置を示す図であり、詳しくは、図１は光量調節装置の駆動手段の断面図、図２は図１の駆動手段を具備する光量調節装置の分解斜視図である。また、図３は図２の光量調節装置の組み立て後の状態を示す図であり、図３（ａ）は図２の矢印Ａ方向より、図３（ｂ）は図２の矢印Ｂ方向より、図３（ｃ）は図２の矢印Ｃ方向より、図３（ｄ）は図２の矢印Ｄ方向より、それぞれ見た図である。なお、図６と同じ構成要素については同一の符号を付し、その詳細は省略する。
【００２０】
図１〜図３において、駆動伝達レバー２とローターマグネット３を接着、圧入などで固定されたものが、ボビン（第１のボビン１と第２のボビン４）内に収納される。前記第１と第２のボビン１，４には第１の軸受け１ａ、第２の軸受け４ａが具備されており、これらで前記駆動伝達レバー２の先端軸部２ａと後端軸部２ｂを受けてローターマグネット３が回転できるようになっている。
【００２１】
前記第１のボビン１と第２のボビン４の外側に銅線等のコイルが巻回されており、該コイルでこれらのボビンが固定され、複合体として構成される。この複合体の完成図を、図２（ｂ）に１００で示している。この１００の複合体に、ヨーク５で外側を覆うことで、図１の駆動手段が完成する。
【００２２】
図１（ａ）は、上記駆動手段の第１のボビン側の本発明の実施の第１の形態における特徴部分である軸受構造を示す拡大図である。
【００２３】
第１のボビン１に設けられた第１の軸受部１ａは円錐状の穴形状をしている。なお、前記円錐状の斜面の角度は、９０度〜１１０度が望ましい。これは、角度が大きくなると、平面で受ける点受けに近くなり、又角度が小さくなると、摩擦面積が大きくなるからであり、軸受の厚さが厚くなるなどの弊害から、上記の角度範囲が適正となる。駆動伝達レバー２の軸の先端軸部２ａは半球面（球面でも良い）形状をしており、前記第１の軸受部１ａの円錐状の斜面と前記先端部２ａの球面が接触する。この接触は、理想状態で、円で、線となる（軸方向から見た際）。
【００２４】
前記第１の軸受部１ａには、駆動伝達レバー２の先端軸部２ａの側面を受ける部分１ｂがある。この部分１ｂ、つまり先端軸部２ａの側面と第１の軸受け１ａの穴部の側面の間には隙間が形成され、温度などの変化による寸法変化よるガタ詰まりを防ぐことができるようになっている。この部分は、大きな外乱（衝撃等）で軸に対して側面に力が加わった場合に、側面側に倒れるのを防ぐ作用がある。
【００２５】
前記ローターマグネット３とヨーク５の位置を変える、つまり、図１（ｂ）において、ヨーク５が図中上側に、ローターマグネット３が下側に、それぞれ位置するように、前記ヨーク５の位置を固定すると、磁気の力でローターマグネット３はヨーク５側、図１で上側（ｒ方向）に引き寄せられる。その結果、ローターマグネット３に固定された駆動伝達レバー２も引き寄せられることになる。
【００２６】
第２のボビン４の第２の軸受部４ａで駆動伝達レバー２の後端軸部２ｂの側面を受けている。図１の縦方向（スラスト方向）は、駆動伝達レバー２の軸を第１のボビン１側へ寄せてあるため、基本的にここでは受けない。但し、外乱の影響で第２のボビン４側に寄せられた時に、該第２のボビン４の軸受上面で駆動伝達レバー２を受けるようになっている。
【００２７】
図１の例は、第１のボビン１に本発明の実施の第１の形態に係る軸受構造を施しているが、第２のボビン４の軸受側に、同様の軸受構造を施してもよい。但し、この場合は、第２のボビン４側に駆動伝達レバー２を片寄せする構造となる。
【００２８】
この完成品のコイルに電流を流すと、コイルの周りに磁界が発生する。このコイルの磁界とローターマグネット３の磁界で駆動伝達レバー２の軸を中心に、ローターマグネット３及び駆動伝達レバー２が回転するようになる。このようにして駆動伝達レバー２が回転することにより、この回転力がピン２ｉ，２ｈを介して図２の光量調節部材９，１０を作動させる力として伝わり、光量調節が行われる。
【００２９】
図１に示す１８はローターマグネット３の位置検出や角速度を検出する磁気センサーであり、ここではホール素子を想定している。該ホール素子１８はローターマグネット３との距離や着磁位置の変化により、電圧が変化することで、位置や速度を検出するものである。
【００３０】
本発明の実施の第１の形態に係る軸受構造を持つ駆動手段は、図２に示す駆動手段支持部材７に取り付けられる。なお、この光量調節装置は、光量調節部材９，１０を駆動する駆動手段と、後述のＮＤフィルター１６を駆動する駆動手段（図２（ａ）中の下方の４，１４，３，１，５より成る）の二つの駆動手段を持っている。
【００３１】
前記駆動手段支持部材７は、光量調節装置の支持部材１３に固定される。この支持部材１３には、また直接、ＮＤフィルター１６を駆動する駆動手段も固定される。この駆動手段の駆動伝達レバー１４は光量調節部材と連結するピンが１本である。このピンが支持部材１３の、該駆動手段と反対面に突き出す。突き出したピンに光量調節部材であるＮＤフィルター支持部材１２の長溝を嵌合させ、該ＮＤフィルター支持部材１２を作動させる。
【００３２】
なお、１１はＮＤフィルター支持部材１２を押さえる機能と光量調節部材９，１０を支持する機能を併せ持つ仕切板、８は光量調節部材９，１０を押さえる機能を持つ押え板である。
【００３３】
前記駆動手段支持部材７から突き出した駆動伝達レバー２のピンが光量調節部材９，１０の長溝と嵌合し、前記光量調節部材９，１０を作動させる。光量調節部材９，１０は駆動伝達レバー２の回転により、各々、反対方向に作動し、その開口部９ａ，１０ａの面積が変化して、光量を調整がなされる。光量調節部材部材９にはＮＤフィルター１５が付けられている。
【００３４】
ＮＤフィルター支持部材１２にはＮＤフィルター１６が付けられている。このＮＤフィルター１６は二つの濃度で構成された１枚のＮＤフィルターである。このＮＤフィルター支持部材１２は光量調節部材９，１０とは別に作動する。つまり、光量調節部材９，１０で作る、開口部９ａ，１０ａをある大きさで静止させ、ＮＤフィルター支持部材１２のみを作動させて、ＮＤフィルターで光量調整を行うことができる。
【００３５】
上記実施の第１の形態によれば、光量調節部材へ駆動力を伝達する回転体（ローターマグネット３及び駆動伝達レバー３）と、その回転軸を受ける軸受部材（第１のボビン１と第２のボビン４が兼用している）を有する駆動手段を具備した光量調節装置において、前記回転体の回転軸の少なくとも一方の軸端部（先端軸部２ａもしくは後端軸部２ｂ）を球形状（半球状も含む）にし、該球形状の軸端部を受ける前記軸受部材の軸受面（当接面）形状（第１の軸受部１ａもしくは第２の軸受部４の形状）を、円錐状の穴形状にしている。
【００３６】
よって、従来のように、回転軸が軸受け内で径方向にその位置が変化して、ローターマグネットがスムーズに回転せず、その動きに追従して光量調節部材も変化して光量調節が適正に行われないといった問題点がなくなる。
【００３７】
詳しくは、図１等のようにローターマグネットの回りに円筒状のヨークが囲むように取り付けられた構造をしている。本来、ローターマグネットとヨークの距離（隙間）は均一で、ローターマグネットが回転しても加わる力の方向は変わらないのが理想である。しかし、ヨークの形状やローターマグネットの形状は必ずしも均一ではないので、ローターマグネットとヨークの距離が、回転位置によって異なってくる。
【００３８】
極端な例として、光量調節装置において、通電を切断した場合に、光量調節部材を光量の遮断する方向に保持しておく場合がある。これを実現するため、当該駆動部の磁気バランスを崩して実現する場合が多々ある。例としては図８に示すように、ヨーク５０の一部を切り離して（５０ａ）磁気バランスを崩す。図８では磁気バランスが崩れているのでＮ極からＳ極へ流れる磁束が最も多くなる位置がローターマグネット３の安定位置となり、常にその位置へ向かおうと回転方向に力Ｆが働く。この場合、ローターマグネット３は各極のピークがヨーク５０に引き寄せられる。ローターマグネット３の回転安定位置にもっと近い、全閉（図８（ａ）の遮光状態）時には、Ｎ極が引き寄せられる力ＰＮとＳ極が引き寄せられる力ＰＳとはほぼ同じ程度ある。光量調節部材が全開状態に近づくにつれ（図８（ｂ）→（ｃ））、ＰＮが小さくなっていき、ローターマグネット３がＳ極側に引き寄せられる力が大きくなる。この力のバランスが回転と共に変化するため、ローターマグネット３が引き寄せられる方向が変化する可能性がある。例えば、姿勢などにより、Ｎ極側が重力方向にあった場合、重力でＮ極側に寄せられ、回転と共にＳ極の力が強くなり、途中でＳ極側に寄せられる。図６に示したように先端軸部が球面で、軸受面が平面である場合、その力の方向の変化とともに軸も自由に追従して動いてしまう。この際、ゆっくりと引き寄せられる方向が変化するのであれば比較的に影響が小さいが、急激に変化すると画像に影響を与える。この変化は、軸とローターの重量が非常に重い場合や軸受部側に引き寄せる力（ｒ方向の付勢力）が大きい場合、さらには軸と軸受面の接触抵抗（摩擦）が大きい場合は、起こりにくい。
【００３９】
しかし、小型化、軽量化、省電力化ではこれらの状態を逆にしなくてはならない。すなわち、近年の装置においては、軽く、摩擦抵抗は小さくしなければならないので、上記の変化の影響を受け易くなっている。この点に鑑み、本実施の第１の形態では図１に示すように、第１の軸受部１ａを円錐状の穴形状とし、先端軸部２ａを球形状とする軸受構造にしている。これにより、ヨークに対してローターマグネットの引き寄せられる方向が変化したとしても、回転軸が径方向に動くには円錐状の斜面を先端軸部２ａが登らなければならず、従来の平面のもののように容易に軸が変化してしまうことがなくなる。まして、ｒ方向に磁気的な付勢力が作用する構造にしていることからなおさらである。
【００４０】
以上のように、回転軸の軸端部とそれを回転自在に受ける軸受部のそれぞれ形状を、球形状（半球形状を含む）と円錐状の穴形状にしているので、回転軸の径方向のガタを抑えることができる。さらに、前記回転体の一方の軸端部を軸受部側に付勢する手段を講じる（実施の形態では、ローターマグネット３に対し、ヨーク５の位置を前記ローターマグネット３の軸方向にすらして配置する構成）ようにしているので、円錐状の穴部の頂点方向に力が働き、片寄せされると円錐状の斜面により球面が円周状（軸方向から見て）に押さえられて、径方向であるラジアル方向の位置変化を、より抑えることができる。このことにより、磁気的な変動や外乱に対しても安定する。また、ローターマグネット３及び駆動伝達レバー２の作動領域全体で効果があるため、安定した光量調節が可能である。さらに、ローターマグネット３との距離の変化が大きく影響するマグネット位置検出器であるホール素子１８の出力も安定し、制御面でも安定する。
【００４１】
（実施の第２の形態）
図４は本発明の実施の第２の形態に係る光量調節装置の駆動手段の断面図であり、図１と同じ構成要素は同一の符号を付し、その説明は省略する。
【００４２】
上記実施の第１の形態では、第１のボビン１側を円錐状の穴形状の軸受構造としたが、本発明の実施の第２の形態では、図４に示すように、第２のボビン１０４側にも、同様の軸受構造を施した例を示すものである。つまり、第２のボビン１０４に円錐状の穴形状の第２の軸受部１０４ａを設け、駆動伝達レバー１０２の回転軸の後端軸部１０２ｂを半円球形状にしている。その他の構成は上記実施の第１の形態と同様であるので、その詳細は省略する。
【００４３】
このような構成の場合、駆動伝達レバー２を第１のボビン１側に片寄せしても、第２のボビン１０４側に片寄せしても良いが、どちらか一方に片寄せする必要はある。光量調節装置としての作用、効果等は、上記実施の第１の形態と同じである。
【００４４】
（実施の第３の形態）
図５は本発明の実施の第３の形態に係る光量調節装置の駆動手段の断面図であり、図１と同じ構成要素は同一の符号を付し、その説明は省略する。
【００４５】
本発明の実施の第３の形態においては、円錐状の穴部を駆動伝達レバー２０２の軸の先端軸部２０２ａに設け、半球面（球面でも良い）を第１のボビン２０１の第１の軸受部２０１ａに設けた例を示すものである。上記実施の第１の形態とは、その形状を反対にするだけで、その他の作用、効果等は上記実施の第１の形態と同様であるので、その詳細は省略する。
なお、上記実施の第２の形態の例を、同様に変更しても良いことは言うまでもない。
【００４６】
以上の実施の各形態によれば、ローターマグネット及び駆動伝達レバーによりなる回転体の回転軸の少なくとも一方の軸端部を、球形状（２ａ，１０２ａ，１０２ｂ）もしくは円錐状の穴形状（２０２ａ）とし、前記球形状もしくは円錐状の穴形状の軸端部と当接する前記軸受部材の当接面形状を、円錐状の穴形状（１ａ，１０４ａ）もしくは球形状（２０１ａ）にしているので、常に回転軸の径方向の位置を安定させることができると共に、磁気変化や振動、衝撃などの外乱の影響を排除することが可能となる。さらに、軸受部の側面と軸端部の側面に隙間を設けているので、温度などの環境変化による部品のガタ詰まりを防止することができる。
【００４７】
また、前記回転体の一方の軸端部を軸受面に常に当接するように付勢する手段を講じる（実施の形態では、ローターマグネット３に対し、ヨーク５の位置を前記ローターマグネット３の軸方向にすらして配置する構成）ようにしているので、回転軸の径方向の位置をより安定させることができる。
【００４８】
したがって、ホール素子１８の出力で光量調節装置の駆動手段の回転位置を制御する構成であっても、適正に光量調節を行うことができる。
【００４９】
また、上記のよう光量調節装置を例えばデジタルカメラ等に搭載しても、光学系の小型化により駆動手段の微細な変動が生じする事がなくなり、光量調節部材の変動が画像に影響するようなこともなくなる。
【００５０】
さらに、第１の軸受部と第２の軸受部を別部材（第１のボビン１と第２のボビン４）で構成しているので、組み込み作業が容易である。更に、各軸受部を、ボビンを構成する第１のボビン１と第２のボビン４に具備しているので、部品点数を減らすことができ、小型化、軽量化に寄与するものとなる。
【００５１】
以下に、本発明に係る光量調節装置の実施態様の例を以下に列挙する。
【００５２】
（実施態様１）　光量調節装置において、駆動手段の回転体の回転軸と該回転軸の軸受部の少なくとも一対の、前記軸受部を円錐状の穴形状とし、前記回転軸の先端を球または半球としたことを特徴とする光量調節装置。
【００５３】
（実施態様２）光量調節装置において、駆動手段の回転体の回転軸と該回転軸の部の軸受部の少なくとも一対の、前記回転軸の先端を円錐の窪み、前記軸受部を球面状の突起としたことを特徴とする光量調節装置。
【００５４】
（実施態様３）　光量調節装置において、駆動手段の回転体の回転軸と該回転軸の軸受部の少なくとも一対の、前記軸受部を円錐状の穴形状とし、前記回転軸の先端を球または半球とし、これらが当接するように軸長方向に付勢する構造にし、別に前記回転軸の軸径方向に対する押えを成す構造を持つことを特徴とする光量調節装置。
【００５５】
（実施態様４）　光量調節装置において、駆動手段の回転体の回転軸と該回転軸の部の軸受部の少なくても一対の、前記回転軸の先端を円錐の窪み、前記軸受部を球面状の突起とし、これらが当接するように軸長方向に付勢する構造にし、別に前記回転軸の軸径方向に対する押えを成す構造を持つことを特徴とする光量調節装置。
【００５６】
（実施態様５）　上記実施態様１，２の光量調節装置において、前記軸受部を円錐状の穴形状とし、前記回転軸の先端を球または半球し、前記軸受部側に軸長方向の付勢を行う構成にしたことを特徴とする光量調節装置。
【００５７】
（実施態様６）　上記実施態様１乃至５の光量調節装置において、前記回転軸と駆動伝達レバーが一体になったことを特徴とする光量調節装置。
【００５８】
（実施態様７）　上記実施態様１乃至６の光量調節装置において、前記軸受部とコイルが巻回されるボビンが一体になったことを特徴とする光量調節装置。
【００５９】
（実施態様８）　上記実施態様１乃至７の光量調節装置において、前記円錐状の穴部の斜面の角度を９０度から１１０度の角度範囲にしたことを特徴とする光量調節装置。
【００６０】
（実施態様９）　上記実施態様１乃至８の光量調節装置において、前記駆動手段の位置制御をホール素子の出力で制御することを特徴とする光量調節装置。
【００６１】
（実施態様１０）　上記実施態様１乃至９の光量調節装置において、前記駆動手段の構成要素であるコイルへの通電切断時に光量調節部材を遮光位置に保持するために、前記駆動手段の構成要素であるヨークとローターマグネットの間で作用する磁気バランスを崩した構成にして、これを実現したことを特徴とする光量調節装置。
【００６２】
【発明の効果】
以上説明したように、本発明によれば、常に回転軸の径方向の位置を安定させ、磁気変化や振動、衝撃などの外乱の影響を排除することができる光量調節装置を提供できるものである。
【図面の簡単な説明】
【図１】本発明の実施の第１の形態に係る光量調節装置の駆動手段を示す断面図である。
【図２】本発明の実施の第１の形態に係る光量調節装置の分解斜視図である。
【図３】本発明の実施の第１の形態に係る光量調節装置の構成図である。
【図４】本発明の実施の第２の形態に係る光量調節装置の駆動手段を示す断面図である。
【図５】本発明の実施の第３の形態に係る光量調節装置の駆動手段を示す断面図である。
【図６】従来の光量調節装置の駆動手段の一例を示す断面図である。
【図７】従来の光量調節装置の駆動手段の他の例を示す断面図である。
【図８】本発明の実施の第１の形態の構造の効果を明らかにするために用いた説明図である。
【符号の説明】
１　　　　第１のボビン
１ａ　　　第１の軸受け
２　　　　駆動伝達レバー
２ａ　　　先端軸部
２ｂ　　　後端軸部
２ｃ　　　軸部
３　　　　ローターマグネット
４　　　　第２のボビン
４ａ　　　第２の軸受け
５　　　　ヨーク
９，１０　光量調節部材
１８　　　ホール素子
１０２　　駆動伝達レバー
１０２ａ　先端軸部
１０２ｂ　後端軸部
１０２ｃ　軸部
１０４　　第２のボビン
１０４ａ　第２の軸受け
２０１　　第１のボビン
２０１ａ　第１の軸受け
２０２　　駆動伝達レバー
２０２ａ　先端軸部
２０２ｂ　後端軸部
２０２ｃ　軸部
【図１】
2004138939.tif 000003
【図２】
2004138939.tif 000004
【図３】
2004138939.tif 000005
【図４】
2004138939.tif 000006
【図５】
2004138939.tif 000007
【図６】
2004138939.tif 000008
【図７】
2004138939.tif 000009
【図８】
2004138939.tif 000010